【手続補正書】
【提出日】平成27年5月13日(2015.5.13)
【手続補正１】
【補正対象書類名】明細書
【補正対象項目名】０２３６
【補正方法】変更
【補正の内容】
【０２３６】
本発明は以上のように記載され、本発明をさまざまな方法で変形してもよいことは明らかである。そのような変形は、本発明の精神及び範囲からの逸脱とはみなされず、全てのそのような変形は、以下の請求項の範囲内に含まれることが意図されている。本発明の精神及び範囲から逸脱することなく多くの実施形態を行うことができるので、本発明は請求項に存在する。本発明の実施態様の一部を以下の項目［１］−［２０］に記載する。
［１］
食器洗浄機内の物品を洗浄する方法であって、
（ｉ）約１質量％〜約９０質量％のアルカリ源又は酸性源；（ｉｉ）界面活性剤、増粘剤、キレート剤、漂白剤、触媒、酵素、固化剤、及びこれらの混合物からなる群から選択される任意の材料；並びに（ｉｉｉ）水を含んでおり、少なくとも２０質量％の活性成分を有する第一の濃縮洗浄組成物を、物品に直接適用することと；
第一の酸性洗浄組成物、第一のアルカリ性洗浄組成物、第二の酸性洗浄組成物、第二のアルカリ性洗浄組成物、すすぎ補助組成物、及びこれらの混合物からなる群から選択される第二の組成物を物品に適用することと
を含む、方法。
［２］
前記第一の濃縮洗浄組成物を物品上の任意の汚れに直接接触させる、項目１に記載の方法。
［３］
前記第一の濃縮洗浄組成物が、食器洗浄機の水溜内の活物質の濃度よりも約２倍〜約４００倍高い割合の活性成分を有する、項目１に記載の方法。
［４］
より濃縮していない組成物を使用する方法、組成物を水溜に適用及び／又はそうでなくとも組成物を希釈して即使用可能な組成物を物品に適用する方法に対して、前記方法が少なくとも実質的に同様の洗浄効力を達成する、項目１に記載の方法。
［５］
前記食器洗浄機が、業務用食器洗浄機、又は消費者用食器洗浄機である、項目１に記載の方法。
［６］
前記食器洗浄機が、ドア食器洗浄機、フード食器洗浄機、コンベア食器洗浄機、アンダーカウンター食器洗浄機、ガラス洗浄機、フライト食器洗浄機、ポット及びパン食器洗浄機、及び器具洗浄機からなる群から選択される、項目５に記載の方法。
［７］
前記アルカリ源が、水酸化ナトリウム、水酸化カリウム、炭酸ナトリウム、重炭酸ナトリウム、ケイ酸ナトリウム、及びこれらの混合物からなる群から選択され、前記酸性源が、硫酸尿素、塩酸尿素、スルファミン酸、メタンスルホン酸、クエン酸、グルコン酸、及びこれらの混合物からなる群から選択される、項目１に記載の方法。
［８］
前記方法が、第二の酸性洗浄組成物、第二のアルカリ性洗浄組成物、すすぎ補助組成物、及びこれらの混合物からなる群から選択される第３の組成物を物品に適用することを更に含む、項目１に記載の方法。
［９］
前記第一の洗浄組成物が、少なくとも約５００ｐｐｍ〜約２０００ｐｐｍのアルカリ源又は酸性源を有する、項目１に記載の方法。
［１０］
食器洗浄機の水溜内に組成物を適用する結果としてより濃縮していない組成物を使用する方法に対して、前記方法は、少なくとも実質的に同様の洗浄効力を達成しつつ、アルカリ性及び／又は酸性洗浄組成物の消費の少なくとも１０％の低減を達成する、項目１に記載の方法。
［１１］
より濃縮されていないアルカリ性及び／又は酸性洗浄組成物を使用する方法と比較して、前記方法が優れた洗浄効力を提供する、項目１に記載の方法。
［１２］
食器洗浄機内の物品を洗浄する方法であって、
固体のアルカリ性又は酸性洗浄組成物の一部を水で溶解させることによって、（ｉ）アルカリ源又は酸性源；（ｉｉ）界面活性剤、増粘剤、キレート剤、漂白剤、触媒、酵素、固化剤、及びこれらの混合物からなる群から選択される任意の材料；及び（ｉｉｉ）水を含む、濃縮したアルカリ性又は酸性洗浄組成物を形成することと；
食器洗浄機の水溜内の活物質の濃度よりも約２倍〜約４００倍高い活性成分である約５００ｐｐｍ〜約２０００ｐｐｍのアルカリ源又は酸性源を有する、前記濃縮したアルカリ性又は酸性洗浄組成物を、食器洗浄機内の洗浄アーム、すすぎアーム、更なるスプレーアーム、又はスプレーノズルをとおして、洗浄する物品上に直接吹き付けることと；
第一の酸性洗浄組成物、第一のアルカリ性洗浄組成物、第二の酸性洗浄組成物、第二のアルカリ性洗浄組成物、すすぎ補助組成物、及びこれらの混合物からなる群から選択される第二の組成物を物品に適用することと
を含んでおり、
前記方法は、より濃縮していない組成物、水溜に適用する組成物、及び／又は物品に適用する前に希釈する組成物を使用する方法に比べて、少なくとも実質的に同様の洗浄効力を達成する、方法。
［１３］
前記固体のアルカリ性又は酸性洗浄組成物が固体ブロックである、項目１２に記載の方法。
［１４］
より濃縮していない組成物、水溜に適用する組成物、及び／又は物品に適用する前に希釈する組成物を使用する方法に比べて、前記方法は、アルカリ性及び／又は酸性洗浄組成物の消費を少なくとも１０％低減し、及び／又は優れた洗浄効力を提供する、項目１２に記載の方法。
［１５］
前記食器洗浄機が、業務用食器洗浄機又は消費者用食器洗浄機である、項目１２に記載の方法。
［１６］
前記濃縮したアルカリ性又は酸性洗浄組成物を、物品上の任意の汚れに直接接触させる、項目１２に記載の方法。
［１７］
業務用食器洗浄機又は消費者用食器洗浄機中の物品を洗浄する方法であって：
固体ブロックの一部を水で溶解することによって、（ｉ）約１質量％〜約９０質量％のアルカリ源；（ｉｉ）界面活性剤、増粘剤、キレート剤、漂白剤、触媒、酵素、固化剤、及びこれらの混合物からなる群から選択される任意の材料；並びに（ｉｉｉ）水を含んでおり、約５００ｐｐｍ〜約２０００ｐｐｍの活性アルカリを有する、濃縮アルカリ性洗浄組成物を形成することと：
前記濃縮アルカリ性洗浄組成物を、食器洗浄機内の洗浄アーム、すすぎアーム、更なるスプレーアーム、又はスプレーノズルをとおして、洗浄する物品上に直接吹き付け、組成物を物品上の任意の汚れに直接接触させることと；
濃縮酸性洗浄組成物を、食器洗浄機内の洗浄アーム、すすぎアーム、更なるスプレーアーム、又はスプレーノズルをとおして、洗浄する物品上に直接吹き付け、組成物を物品上の任意の汚れに直接接触させることと
を含んでおり、
前記酸性洗浄組成物は、（ｉ）約１質量％〜約９０質量％の酸；（ｉｉｉ）界面活性剤、増粘剤、キレート剤、漂白剤、触媒、酵素、固化剤、及びこれらの混合物からなる群から選択される任意の材料；及び（ｉｉｉ）水を含んでおり、
前記濃縮アルカリ性洗浄組成物及び／又は前記濃縮酸性洗浄組成物は、食器洗浄機の水溜内の活物質の濃度よりも約２倍〜約４００倍高い割合の活性成分を有する、方法。
［１８］
より濃縮していない組成物を使用する方法、組成物を水溜に適用及び／又はそうでなくとも組成物を希釈して即使用可能な組成物を物品に適用する方法に対して、前記方法は、アルカリ性及び／又は酸性洗浄組成物の消費の少なくとも１０％の低減を達成し、及び／又は優れた洗浄効力を提供する、項目１７に記載の方法。
［１９］
洗浄する物品にすすぎ補助剤を適用することを更に含む、項目１７に記載の方法。
［２０］
アルカリ性洗浄の適用と酸性洗浄の適用との間に、洗剤を物品に適用せず既に適用した洗剤を一定時間物品の上に保つ休止を更に含む、項目１７に記載の方法。
【手続補正２】
【補正対象書類名】特許請求の範囲
【補正対象項目名】全文
【補正方法】変更
【補正の内容】
【特許請求の範囲】
【請求項１】
食器洗浄機内の物品を洗浄する方法であって、
（ｉ）約２０質量％〜約８０質量％のアルカリ源又は酸性源；（ｉｉ）界面活性剤、増粘剤、キレート剤、漂白剤、触媒、酵素、固化剤、及びこれらの混合物からなる群から選択される任意の材料；並びに（ｉｉｉ）水を含んでおり、少なくとも２０質量％の活性成分を有する第一の濃縮洗浄組成物を、物品に直接適用することと；
第一の酸性洗浄組成物、第一のアルカリ性洗浄組成物、第二の酸性洗浄組成物、第二のアルカリ性洗浄組成物、すすぎ補助組成物、及びこれらの混合物からなる群から選択される第二の組成物を物品に適用することと
を含む、方法。
【請求項２】
前記第一の濃縮洗浄組成物を物品上の任意の汚れに直接接触させる、請求項１に記載の方法。
【請求項３】
前記第一の濃縮洗浄組成物が、食器洗浄機の水溜内の活物質の濃度よりも約２倍〜約４００倍高い割合の活性成分を有する、請求項１に記載の方法。
【請求項４】
より濃縮していない組成物を使用する方法、組成物を水溜に適用及び／又はそうでなくとも組成物を希釈して即使用可能な組成物を物品に適用する方法に対して、前記方法が少なくとも実質的に同様の洗浄効力を達成する、請求項１に記載の方法。
【請求項５】
前記アルカリ源が、水酸化ナトリウム、水酸化カリウム、炭酸ナトリウム、重炭酸ナトリウム、ケイ酸ナトリウム、及びこれらの混合物からなる群から選択され、前記酸性源が、硫酸尿素、塩酸尿素、スルファミン酸、メタンスルホン酸、クエン酸、グルコン酸、及びこれらの混合物からなる群から選択される、請求項１に記載の方法。
【請求項６】
前記方法が、第二の酸性洗浄組成物、第二のアルカリ性洗浄組成物、すすぎ補助組成物、及びこれらの混合物からなる群から選択される第三の組成物を物品に適用することを更に含む、請求項１に記載の方法。
【請求項７】
食器洗浄機の水溜内に組成物を適用する結果としてより濃縮していない組成物を使用する方法に対して、前記方法は、少なくとも実質的に同様の洗浄効力を達成しつつ、アルカリ性及び／又は酸性洗浄組成物の消費の少なくとも１０％の低減を達成する、請求項１に記載の方法。
【請求項８】
食器洗浄機内の物品を洗浄する方法であって、
固体のアルカリ性又は酸性洗浄組成物の一部を水で溶解させることによって、（ｉ）約２０質量％〜約８０質量％のアルカリ源又は酸性源；（ｉｉ）界面活性剤、増粘剤、キレート剤、漂白剤、触媒、酵素、固化剤、及びこれらの混合物からなる群から選択される任意の材料；及び（ｉｉｉ）水を含む、濃縮したアルカリ性又は酸性洗浄組成物を形成することと；
食器洗浄機の水溜内の活物質の濃度よりも約２倍〜約４００倍高い活性成分である約５００ｐｐｍ〜約２０００ｐｐｍのアルカリ源又は酸性源を有する、前記濃縮したアルカリ性又は酸性洗浄組成物を、食器洗浄機内の洗浄アーム、すすぎアーム、更なるスプレーアーム、又はスプレーノズルをとおして、洗浄する物品上に直接吹き付けることと；
第一の酸性洗浄組成物、第一のアルカリ性洗浄組成物、第二の酸性洗浄組成物、第二のアルカリ性洗浄組成物、すすぎ補助組成物、及びこれらの混合物からなる群から選択される第二の組成物を物品に適用することと
を含んでおり、
前記方法は、より濃縮していない組成物、水溜に適用する組成物、及び／又は物品に適用する前に希釈する組成物を使用する方法に比べて、少なくとも実質的に同様の洗浄効力を達成する、方法。
【請求項９】
前記固体のアルカリ性又は酸性洗浄組成物が固体ブロックである、請求項８に記載の方法。
【請求項１０】
より濃縮していない組成物、水溜に適用する組成物、及び／又は物品に適用する前に希釈する組成物を使用する方法に比べて、前記方法は、アルカリ性及び／又は酸性洗浄組成物の消費を少なくとも１０％低減し、及び／又は優れた洗浄効力を提供する、請求項８に記載の方法。